(57)【要約】  スピンキャスト・リールは、少なくとも１つのカミング制御部材デバイスを有しており、少なくとも１つのカミング制御部材デバイスは、活性化ボタンおよびピックアップ・ピンに操作可能に接続されており、リールのキャスティング動作、アンスプール動作、および回収動作の間に、ピックアップ・ピンの伸張および後退を制御する。
2018515077.tif 000002
【特許請求の範囲】
【請求項１】
スピンキャスト・リールのためのキャスティング・システムであって、前記システムは、
フレームと、
フィッシング・ラインを保持するために前記フレームに接続されているスプールと、
中央シャフトであって、前記中央シャフトは、クランク・ハンドルに操作可能に接続されており、軸線の周りに回転するように構成されている、中央シャフトと、
前記中央シャフトに操作可能におよび回転可能に装着されているピックアップ・ヘッドと、
半径方向に伸張させられた第１の位置と、半径方向に後退させられた第２の位置との間に位置決め可能なピックアップ・ピンであって、前記第１の位置にある前記ピックアップ・ピンは、フィッシング・ラインに係合することとなり、前記ローターが回転していないときに、前記フィッシング・ラインが前記スプールから巻き出ることを防止し、また、前記ローターが回転しているときに、前記スプールの上に前記フィッシング・ラインを巻き取り、前記第２の位置にある前記ピックアップ・ピンは、前記フィッシング・ラインが前記スプールから巻き出ることを可能にする、ピックアップ・ピンと、
親指ボタンであって、前記親指ボタンは、前記フレームに動作可能に取り付けられており、また、カミング制御部材を含む機械的なシステムによって前記ピックアップ・ピンにリンク接続され、前記カミング制御部材は、前記親指ボタンが前方に押されているときに、前記ピックアップ・ピンを前記第１の位置に維持することが可能であり、前記親指ボタンが解放されているときに、前記ピックアップ・ピンが前記第２の位置へ移動することを可能にする、親指ボタンと
を含む、キャスティング・システム。
【請求項２】
前記機械的なシステムは、
カミング・サポートであって、前記カミング・サポートは、前記活性化ボタンに操作可能に接続され、前記リールの前方端部に向かって軸線方向に変位し、それによって、前記カミング制御部材デバイスを前方に軸線方向に変位させる、カミング・サポート
をさらに含む、請求項１に記載のリール。
【請求項３】
前記機械的なシステムは、前記活性化ボタンおよび前記カミング制御部材デバイスを動作可能に接続する接続ロッドをさらに含み、前記接続ロッドは、前記活性化ボタンに向けて後方方向に付勢されている、請求項２に記載のリール。
【請求項４】
前記機械的なシステムは、前記活性化ボタンおよび前記接続ロッドを動作可能に接続する接続ブラケットをさらに含む、請求項３に記載のリール。
【請求項５】
前記リールは、前記活性化ボタンと前記カミング制御部材デバイスとの間に動作可能に位置決めされているカミング・サポートをさらに含み、前記カミング・サポートは、前記活性化ボタンと前記カミング制御部材デバイスとの間で変位力を伝達するように位置決めされている、請求項２に記載のリール。
【請求項６】
前記活性化ボタンの活性化は、第１の位置から第２の位置へ前記ピックアップ・ピンを動作可能に移動させ、前記第１の位置では、前記ピックアップ・ピンが前記ピックアップ・ヘッドから延在しており、前記第２の位置では、前記ピックアップ・ピンが前記ピックアップ・ヘッドの中に実質的に位置決めされており、前記クランク・ハンドルの移動は、前記第２の位置から前記第１の位置へ前記ピックアップ・ピンを移動させる、請求項２に記載のリール。
【請求項７】
前記活性化ボタンの活性化は、前記ピックアップ・ピンに対して前記カミング制御部材デバイスを移動させ、前記ピックアップ・ピンを前記第１の位置に維持する、請求項６に記載のリール。
【請求項８】
前記クランク・ハンドルの活性化は、前記カミング制御部材デバイスに対して前記ピックアップ・ピンを移動させ、また、前記第２の位置から前記第１の位置へ前記ピックアップ・ピンを動作可能に移動させる、請求項６に記載のリール。
【請求項９】
前記リールは、前記ピックアップ・ヘッドおよび前記ピックアップ・ピンに取り付けられているピックアップ・アーマチャーをさらに含み、前記ピックアップ・アーマチャーは、前記第１の位置から前記第２の位置へ前記ピックアップ・ピンを移動させるように位置決めされている、請求項６に記載のリール。
【請求項１０】
ａ．  前方端部（６７）、後方端部（６９）、全体的な高さ（７１）、および外径（７３）を有する概して環状の形状を示すカミング制御部材デバイスでは、前記全体的な高さは、少なくとも３つの軸線方向の部分を示しており、
ｉ．  第１の部分（９４）は、第１の距離（９５）にわたって後方端部（６９）から軸線方向前方に延在しており、前記第１の部分（９４）は、前記外径（７３）よりも半径方向に小さい第１の直径（９７）の第１の外側表面（９６）を形成しており、
ｉｉ．  第２の部分（９８）は、軸線方向に横断方向の棚表面（９９）の上に位置付けされており、前記棚表面（９９）は、前記第１の直径（９７）と前記外径（７３）との間の半径方向の長さの差によって形成されており、前記第２の部分は、少なくとも１つのカム表面（７２）を示しており、前記少なくとも１つのカム表面（７２）は、前記第１の外側表面（９６）から前記外径（７３）へ角度付きの傾斜表面（７０）とともに形成されており、それぞれの前記少なくとも１つのカム表面（７２）および前記角度付きの傾斜表面（７０）の間に、棚部分（６８）が形成されており、
ｉｉｉ．  第３の部分（９９）は、前記棚表面（９９）から前方端部（６７）へ延在しており、それによって、所定の直径の外側表面（７４）を形成している、カミング制御部材デバイスと、
ｂ．  半径方向に枢動可能な第１のピックアップ・アーマチャー（５２）であって、前記第１のピックアップ・アーマチャー（５２）は、半径方向内向きの突出部（６６）を示しており、半径方向外向きに延在するピックアップ・ピン（４２）を含む、第１のピックアップ・アーマチャー（５２）と、
ｃ．  第２の半径方向内向きの突出部（８３）を示す半径方向に枢動可能な第２のピックアップ・アーマチャー（７６）と
を含む、スナッバーレス・スピンキャスト・リール。
【請求項１１】
前記カミング制御部材デバイスのそれぞれの前記少なくとも１つのカム表面、角度付きの傾斜表面、および棚が、前記第１および第２のピックアップ・アーマチャーと相互作用するように軸線方向に位置決めされ、半径方向に寸法決めされており、ユーザーが、前記スプールの中へラインを巻き取るように、および、前記スプールからラインをキャスティングするように、前記リールを動作させるときに、前記ピックアップ・ピンを半径方向に伸張および後退させる、請求項１０に記載のスピンキャスト・リール。
【請求項１２】
ｄ．  前記リールの中のクランク・シャフト（３６）に実質的に平行に枢動する活性化ボタン（２２）と、
ｅ．  開口部（４４）を示すピックアップ・ヘッド（３４）であって、ピックアップ・ピン（４２）が、前記開口部（４４）を通って延在し、前記ピックアップ・ヘッドを通り過ぎるフィッシング・ラインに係合することが可能である、ピックアップ・ヘッド（３４）と、
ｆ．  接続リンケージ（５６、５４）であって、前記接続リンケージ（５６、５４）は、前記活性化ボタンが押圧されて軸線方向に前方に変位させられるときに、前記カミング制御部材デバイス（４８）を第１の位置から中間位置へ軸線方向に変位させ、前記第１の位置では、前記第１および第２のピックアップ・アーマチャーが前記カミング制御部材デバイスの前記第３の部分の前記外側表面（７４）によって支持されているときに、前記ピックアップ・ピン（４２）が半径方向に伸張させられており、前記中間位置では、前記第１のピックアップ・アーマチャーが、前記カミング制御部材デバイスの前記第３の部分の前記外側表面（７４）によって支持されており、前記第２のピックアップ・アーマチャーが、前記カミング制御部材デバイスとの付勢された相互作用によって、前記クランク・シャフトに向けて半径方向に枢動している、接続リンケージ（５６、５４）と
をさらに含む、請求項１１に記載のスピンキャスト・リール。
【請求項１３】
前記活性化ボタンの解放は、前記ボタン（２２）が軸線方向後方に枢動することを引き起こし、前記カミング制御部材デバイスが軸線方向後方に移動することを引き起こし、それによって、前記第１のピックアップ・アーマチャー（５２）は、前記カミング制御部材デバイスとの付勢された相互作用によって、前記クランク・シャフトに向けて半径方向内向きに枢動し、前記ピックアップ・ピン（４２）は、前記ピックアップ・ヘッド（３４）の外側表面の下へ前記クランク・シャフトに向けて半径方向に変位させられる、請求項１２に記載のスピンキャスト・リール。
【発明の詳細な説明】
【技術分野】
【０００１】
本出願は、「スナッバーレス・スピンキャスト・リール（Ｓｎｕｂｂｅｒｌｅｓｓ  Ｓｐｉｎｃａｓｔ  Ｒｅｅｌ）」という表題の２０１５年４月２７日に出願された同時係属中の米国仮特許出願第６２／１５３，４５４号の優先権を主張し、その開示は、参照により本明細書に組み込まれている。
【０００２】
本開示は、釣り具に関し、より具体的には、たとえば、リールからラインをキャスティングするときなど、リールの動作の間に、フィッシング・ラインの上の摩擦および損耗を低減させるように設計されている、クローズド・フェイス・リールまたはスピンキャスト・リールなどのような、改善されたフィッシング・リールに関する。
【背景技術】
【０００３】
フィッシング・リールは、当技術分野で周知であり、基本的なベイト・キャスティング・リール、スピニング・リール、およびスピンキャスト・リールを含む。多数の改善が、フィッシング・リールを対象としており、それは、米国特許第３，０７４，６６４号、米国特許第４，４０８，７２９号、米国特許第５，４２７，３２５号、米国特許第５，７８２，４１９号、米国特許第６，３７５，１０７号、米国特許第６，３９４，３７９号、米国特許第６，５７２，０４３号、米国特許第６，８４３，４３９号、および米国特許第７，３４４，０９９号を含む。
【０００４】
スピンキャスト・リールは、当技術分野で周知のフィッシング・リールのうちの１つのタイプである。スピンキャスト・リールは、典型的に、中央本体部またはリール・フレームを含むことが可能であり、フロント・カバーおよびリア・カバーが、それに取り付けられ得る。フット構造体が、フレームの底部、または、存在するときにはバック・カバーのいずれかから延在しており、リールをフィッシング・ロッドに固定するために使用されている。キャスティング・ボタンは、フレーム、または、存在するときにはバック・カバーから操作可能に突き出しており、キャスティングの間のフィッシング・ラインの制御を促進させるように、ユーザーによって活性化させられる。クランク・ハンドルが、リールのフロント・カバーの中に含有されているライン・スプールの周りにフィッシング・ラインを回収するために、フィッシング・リールの側部から延在している。
【０００５】
リール・フレームは、ライン・スプールを支持するスプール・ハブを含み、フィッシング・ラインがライン・スプールの上に巻き取られる。ライン・スプールは、通常は静止しているが、フィッシング・ラインの上にかけられる張力に応答して、制御可能に回転可能であり得る。ピックアップ・ヘッド、またはローターが、ライン・スプールの前方に装着されており、クランク・ハンドルによって回転させられるときに、スプールの周りにフィッシング・ラインを巻き取る。典型的に、ピックアップ・ヘッドは、１つまたは複数のピックアップ・スロットと、１つまたは複数の選択的に後退可能なピックアップ・ピンとともに構成されることとなり、ピックアップ・ピンは、スロットの中に位置決めされており、ピックアップ・ヘッドの外周部において伸張可能である。ピックアップ・ピンは、ピックアップ・ヘッドがハンドルによって回転させられるときに、フィッシング・ラインに係合するように設計されている。ピックアップ・ピンとフィッシング・ラインとのこの係合は、ライン・スプールの周りにフィッシング・ラインを巻き取る。
【０００６】
スピンキャスト・リールのフロント・カバー、またはフロント・コーンは、ライン・スプールおよびピックアップ・ヘッドの両方を取り囲んでカバーするように構成されている。フィッシング・ライン自身は、スプールからピックアップ・ヘッドの上に延在しており、ピックアップ・ヘッドとフロント・カバーの内側表面との間のスペースの中で、ピックアップ・ヘッドを横断している。フィッシング・ラインは、フロント・カバーの前方端部において、中央開口部を通って出ていく。
【０００７】
従来のスピンキャスト・リールの動作時には、ユーザー、またはアングラーは、キャスティング・ボタン、または親指ボタンを活性化させ、キャスティング・プロセスを始める。ボタンが押されているとき、ピックアップ・ピンは、ピックアップ・ヘッドの内側に移動させられ、フィッシング・ラインから解除されている。また、ボタンの活性化は、ピックアップ・ヘッドを中央シャフトに沿ってフレームに対して軸線方向前方に移動させる。ピックアップ・ヘッドのこの移動は、フロント・カバーの内側に対して、フィッシング・ラインを押し付け、またはスナッブする（ｓｎｕｂ）。この行為は、キャスティング・プロセスの初期の部分の間に、フィッシング・ラインを適切な場所に保持するように設計されている。キャスティング・プロセスの間に、この「スナッビング（ｓｎｕｂｂｉｎｇ）」は、ピックアップ・ピンの代わりをしており、フィッシング・ラインの移動を許容しないというその機能の代わりをしている。基本的に、従来のスピンキャスト・リールでは、ボタンの押圧は、摩擦ブレーキのように作用し、フィッシング・ラインの移動を制限する。このブレーキは、フロント・カバーの内側表面に対してフィッシング・ラインを強く圧迫するピックアップ・ヘッドの圧力を前提としている。ユーザーがキャスティング運動を続けるとき、親指ボタンが解放され、それによって、ピックアップ・ヘッドが軸線方向後方に移動し、フィッシング・ラインがリールから自由に流出することを可能にする。
【０００８】
米国特許第３，０７４，６６４号の先行技術の図１に一般的に見られるように、従来のリール１は、ボタン２を有しており、ボタン２は、アングラーによって押圧され得り、シャフト３を前方に押し、スナッビング・パッド４を移動させ、フロント・カバー７の内側の接触表面６に対してフィッシング・ライン５を押し付ける。
【０００９】
ローターとフロント・コーンとの間のラインのスナッビングは、フィッシング・ラインに損傷を引き起こす可能性があり、それは、圧力場所におけるフィッシング・ラインの細線化または平坦化を含み、また、回収されるフィッシング・ラインとともにリールの中へ引き込まれる砂、塵、および浮遊微粒子による不必要な摩耗を含む。これらの損傷の原因は、場合によっては、ラインの破損、および、ルアーまたは魚の喪失を結果として生じさせる可能性がある。そのうえ、キャスティングされる餌、ルアー、浮き、追加した重りなどの重量が増加するにつれて、アングラーは、キャスティングの間に親指ボタンの上により大きい圧力を作り出し、親指ボタンが解放される前に、フィッシング・ラインがピックアップ・ヘッドとフロント・カバーとの間から滑り出ることを防止しなければならない。この圧力の追加は、一部のアングラーにとっては困難である可能性があり、また、キャスティング・プロセスを複雑にする可能性がある。
【００１０】
本明細書で説明または議論されているすべての特許および刊行物は、その全体が参照により本明細書に組み込まれている。
【００１１】
次いで必要とされているものは、フィッシング・リールの中で使用されるフィッシング・ラインの損耗を低減させる、フィッシング・リールの改善である。リールは、ユーザーの手の中で、同様にまたは実質的に同一に動作するように思えることが好ましい。この必要とされるリールは、当技術分野において欠如している。
【発明の概要】
【発明が解決しようとする課題】
【００１２】
本発明の全体的な目的は、改善されたスピンキャスト・フィッシング・リールを提供することである。
【００１３】
本開示のさらなる別の目的は、キャスティング・プロセスの間のフィッシング・ラインの上の摩擦、摩耗、および／または圧力を低減させるライン制御システムを備えた、改善されたスピンキャスト・リールを提供することである。
【００１４】
本開示のさらに別の目的は、リールからのフィッシング・ラインのキャスティング・プロセスの間に受けるそのフィッシング・ラインの上の摩損の少なくともいくらかを低減させる機械的なライン制御システムを提供することである。
【００１５】
本開示の多数の他の目的、特徴、および利点は、添付の図面と関連して以下の説明を読むと、当業者に容易に明らかになることとなる。
【課題を解決するための手段】
【００１６】
これらの目的、および、本明細書の説明から明らかになることとなる他の目的にしたがって、本発明は、スピンキャスト・リール・システム、および、その使用のための方法を提供し、リール・システムは、
（ａ）フレームと、
（ｂ）フィッシング・ラインを保持するためにフレームに接続されているスプールと、
（ｃ）フレームに操作可能に接続されている中央シャフトと、
（ｄ）中央シャフトに操作可能におよび回転可能に装着されているピックアップ・ヘッドであって、ローターが、ピックアップ・ピンを含み、ピックアップ・ピンは、ローターの外周部の上の第１の位置と、ローターの内周部の上の第２の位置との間で位置決め可能であり、第１の位置にあるピックアップ・ピンは、フィッシング・ラインに係合することとなり、ローターが回転していないときに、フィッシング・ラインがスプールから巻き出る（ｕｎｗｉｎｄ）ことを防止し、また、ローターが回転しているときに、スプールの上にフィッシング・ラインを巻き取り、第２の位置にあるピックアップ・ピンは、フィッシング・ラインがスプールから巻き出ることを可能にする、ピックアップ・ヘッドと、
（ｅ）フレームに動作可能に取り付けられている親指ボタンであって、親指ボタンは、機械的なシステムによってピックアップ・ピンにリンク接続されている、親指ボタンと、
（ｆ）親指ボタンが前方に押されているときに、ピックアップ・ピンを第１の位置に維持するように構成および位置決めされている機械的なシステムと、
（ｇ）親指ボタンが解放されているときに、ピックアップ・ピンを第２の位置へ移動させるように構成および位置決めされている機械的なシステムと
を含む。
【００１７】
好ましくは、機械的なシステムは、少なくとも１つのカム表面を有するカミング（ｃａｍｍｉｎｇ）制御部材デバイスを含み、前記カム・デバイスは、活性化ボタンおよびピックアップ・ピンに操作可能に接続されている。カミング制御部材デバイスおよびクランク・シャフトは、少なくとも１つのカミング表面が少なくとも１つの付勢されている適切なアーマチャー（ａｒｍａｔｕｒｅ）と相互作用するように位置決めおよび構成されており、リールの動作の間にフィッシング・ラインとの選択的な係合をするように、ピックアップ・ピンを後退および伸張させるようになっている。
【００１８】
好適な実施形態では、リールは、付勢されている接続ロッドをさらに含み、接続ロッドは、活性化ボタンおよびカミング制御部材デバイスを操作可能に接続している。接続ブラケットが、活性化ボタンと接続ロッドとの間に操作可能に位置決めされており、活性化ボタンおよび接続ロッドを接続している。カミング・サポートが、活性化ボタンとカミング制御部材デバイスとの間に操作可能に位置決めされており、カミング・サポートは、活性化ボタンとカミング制御部材デバイスとの間で軸線方向の変位力を伝達することを促進させるように位置決めされており、キャスティング動作、アンスプール（ｕｎｓｐｏｏｌｉｎｇ）動作、および回収動作の間に、ピックアップ・ピンの半径方向の位置を制御する。
【００１９】
本発明のカム・ベースの機械的なシステムの使用は、ピックアップ・ピン位置を制御し、それは、フィッシング・ラインに関する制御システムを提供し、それは、リール・カバーの内側に対するスナッバー・ベースの圧縮の使用を回避し、汚染物質がフィッシング・ラインに対して擦れる機会を低減させる。フィッシング・ラインに対して損傷を与えることが少なく、アングラーにとって操作的に分かりやすいライン制御システムが、結果的に得られる。
【図面の簡単な説明】
【００２０】
【図１】キャスティングの間に、フロント・カバーの内側に対してラインをスナッブし、フィッシング・ラインを固定する、先行技術のスピンキャスト・リールの断面図である。
【図２】本開示にしたがって作製されたリールの外部の等角図である。
【図３】フロント・カバーがない状態のリールの上面図である。
【図４】そのカバーがない状態のリールの側面図であり、ピックアップ・ピンがピックアップ・ヘッドの外側に伸張していることを示す図である。
【図５】フィッシング・ラインがスプールから巻き出ることを可能にするように、ピックアップ・ピンがピックアップ・ヘッドの内側に後退させられていること以外は、図４のものと同様の図である。
【図６】本開示にしたがって作製されたリールの側面図であり、カミング制御部材デバイス・メカニズムが、第１の位置または初期の位置にあることを示す図である。
【図７】図６のものと同様の図であるが、キャストに備えてリール・ボタンが押されている状態で、カミング・サポートおよびカミング制御部材デバイスのライン保持中間位置を示す図である。
【図８】ピックアップ・ピンが後退させられている状態で、カミング制御部材デバイスおよびカミング・サポートがキャスティング位置になっている、図７のものと同様の図である。
【図９】リールが第１の位置にあることを示す、図６のものと同様の斜視図である。
【図１０】カミング制御部材デバイスがキャストのためのライン保持中間位置にあることを示す、図７のリールの斜視図である。
【図１１】キャストの間にラインが巻き出るときに、カミング制御部材デバイスが第２の位置または後退させられた位置にあることを示す、図８のリールの斜視図である。
【図１２】メカニズムが第１の位置にあり、ライン巻き取りのために伸張したピックアップ・ピンを伴う、図６および図９と同様の分離した部品図である。
【図１３】図７および図１０のものと同様の分離した部品図であり、カミング制御部材デバイスおよびアーマチャーが、キャスティングのためのライン保持中間位置にあることを示す図である。
【図１４】キャストとの間にラインを巻き出させるためにピックアップ・ピンが後退させられているときの、図８および図１１のものと同様の分離した部品図である。
【図１５】ピックアップ・ピン伸張および後退に関わるカム、傾斜、および棚表面を示す、カミング制御部材デバイスの斜視図である。
【図１６】カミング制御部材デバイスの側面図である。
【図１７】リールの中のプッシュ・ボタンとカム・サポートとの間の変位パーツを示す、分離した部品図である。
【図１８】本発明の代替的な実施形態を示す図である。
【図１９】図１８の実施形態の活性化させられた図である。
【図２０】本発明のさらなる別の代替的な実施形態を示す図である。
【図２１】図２０の実施形態の作動位置を示す図である。
【図２２】ピックアップ・ヘッドの下のアーマチャーの接続を図示する図である。
【発明を実施するための形態】
【００２１】
本発明のスピンキャスト・リールは、従来のスナッバー・システムの使用を排除し、後退可能な巻き取りピンのためのカム作動式の制御システムを実装している。一方向だけに動くクランクによって、このシステムは、キャストの間に巻き取りピンに対してフィッシング・ラインを拘束し、巻き取りピンを引き下げ、キャストの間にラインがアンスプールすることを可能にし、キャスティングされたラインおよびルアーを回収するために巻き取りピンに再係合する。そのようなメカニズムは、キャスティング動作の間にカバーの内側に対してフィッシング・ラインを拘束するためのスナッバー・システムの使用を排除し、また、そのようなスナッバー・システムに伴う問題を排除する。
【００２２】
本発明は、図２〜図１７を参照して最も好都合に説明されており、図２〜図１７では、本開示の好適な実施形態が、参照数字１０によって全体的に指定されているリールを提供している。明確にするために、それぞれの図面の中にすべての参照数字が含まれているわけではないということ、および、同じ参照数字の使用は、そのエレメントが別の同様の数字のものと同じであるということを伝えることが意図されているということが理解される。
【００２３】
それに加えて、位置の用語は、「上側」、「下側」、「側部」、「上部」、「底部」、「垂直方向」、「水平方向」などのような用語は、図面に示されている配向になっているときの装置を表している。本開示による物体は、使用しているときに異なる配向をとることができるということを当業者は認識することとなる。
【００２４】
全体的に図２〜図５に見られるように、リール１０は、フレーム１２を含み、フレーム１２は、リール１０のエレメントの大部分を支持するように使用される。フレーム１２は、フット１４を含み、フット１４は、フィッシング・ポールまたはフィッシング・ロッド（図示せず）にリール１０を接続するために使用される。リール１０およびロッドは、フィッシング・ライン１６とともに使用される。クランク・ハンドル１８は、クランク・アーム２０に接続されており、クランク・アーム２０は、当技術分野において従来型の接続部によって、フレーム１２および中央シャフト３６に動作可能に接続されている。米国特許第２，７２４，５６３号；米国特許第２，９７４，５３４号；米国特許第２，７７６，８０３号；米国特許第６，３７５，１０７号；米国特許第６，６４１，０７０号；および米国特許第６，７２６，１３７号を参照されたい。それらの開示は、参照により本明細書に組み込まれている。リール１０は、ドラッグ調節３０およびクランク・ハンドル締結具３２をさらに含む。
【００２５】
親指活性化ボタン２２は、フレーム１２によって枢動可能に支持されており、フレーム１２のバック側１１からアングラーの手（図示せず）に向けて後方に延在している。親指ボタン２２は、接触表面２６をフレーム１２に接続するボタン・アーマチャー２４を含む。接触表面２６は、フィッシング・ライン１６を保持してキャスティング・プロセスを始めるために、アングラーが係合または押圧するためのものである。
【００２６】
フレーム１２のフロント側１３は、フロント・カバー２８を含み、フロント・カバー２８は、典型的に、形状が円錐状である。フロント・カバー２８とフレーム１２との接続は、当技術分野で知られているような、ネジ山、スロット、および溝部、ならびに、他の解放可能なタイプの締結具（摩擦タイプの締結具または機械的なタイプの締結具を含む）によるものであることが可能である。フロント・カバー２８は、開口部２５を含み、フィッシング・ライン１６は、開口部２５を通って延在しており、キャスティング・プロセスおよび巻き取りプロセスの間にそれぞれ回収される。
【００２７】
図３〜図５に最良に見られるように、リール１０は、フロント・カバー２８の下にピックアップ・ヘッド３４を含み、ピックアップ・ヘッド３４は、ローターとしても知られている。ピックアップ・ヘッド３４は、たとえば、締結具３８などによって、中央シャフト３６に動作可能に取り付けられており、締結具３８は、伝統的なナット締結具、または、当技術分野で公知の他の締結具であることが可能である。ピックアップ・ヘッド３４は、開口部３５を含むことが可能であり、開口部３５は、中央シャフト３６を受け入れ、締結具３８は、中央シャフト３６の上のネジ山付きの終端端部において、ピックアップ・ヘッド３４および中央シャフト３６を接続している。
【００２８】
中央シャフト３６は、当技術分野で知られているように、さまざまなギヤおよび軸受を通して、クランク・ハンドル１８に、より具体的には、クランク・アーマチャー２０に動作可能に接続されている。これは、クランク・ハンドル１８のターンがピックアップ・ヘッド３４を少なくとも部分的に回転させることとなることを確立し、それは、静止したスプール４０の周りでのフィッシング・ライン１６の巻き取りを促進させる。
【００２９】
ピックアップ・ヘッド３４は、ピックアップ・ピン４２を含み、ピックアップ・ピン４２は、ピックアップ・ヘッド３４の中のスロット４４を通って延在することが可能である。ピックアップ・ピン４２は、図４に示されているように、巻き取りのための第１の位置に位置決め可能であり、ピックアップ・ピン４２が、ピックアップ・ヘッド３４の開口部４４から外へ延在するようになっている。この位置では、ピックアップ・ピン４２は、フィッシング・ライン１６に係合することが可能であり、アングラーがクランク・ハンドル１８を回すときに、中央シャフト３６がピックアップ・ヘッド３４およびピックアップ・ピン４２とともに回転するようになっており、ピックアップ・ピン４２がフィッシング・ライン１６に係合し、スプール４０の周りにフィッシング・ライン１６を巻き取るようになっている。フィッシング・ライン１６の張力によって、および、ピックアップ・ピン４２が第１の位置または伸張位置にあるときに、ピックアップ・ピン４２の端部とフロント・カバー２８の内側表面との間の比較的に厳しい公差によって、フィッシング・ライン１６は、ピックアップ・ピン４２に対して保持される。
【００３０】
たとえば、図５に示されている巻き出し位置など、第２の位置において、ピックアップ・ピン４２は、ピックアップ・ヘッド３４の外側表面の中に、実質的に凹ませられており、好ましくは、完全に凹ませられている。この位置では、ピックアップ・ピン４２は、フィッシング・ライン１６に係合しないこととなり、それによって、フィッシング・ライン１６がスプール４０から巻き出て開口部２５から外へ延在することを可能にする。ピックアップ・ピン４２の後退は、巻き出しプロセスの間に、フィッシング・ライン１６がピックアップ・ヘッド３４とフロント・カバー２８の内側表面との間のスペースの全幅を使用することを可能にする。
【００３１】
図６〜図１４に示されているように、カム・ベースの機械的なシステムは、カミング制御部材デバイス４８の後方側のカミング表面のうちの少なくとも１つとピックアップ・アーマチャーとの係合によって、ピックアップ・ピン４２の伸張および後退を制御する。このカム・ベースの機械的な制御システムは、カミング制御部材デバイス４８、カミング・サポート５０、ピックアップ・アーマチャー５２、接続ロッド５４、接続ブラケット５６、ブラケット・ガイド５７、ロッド・リターン・スプリング５５、カム・リターン・スプリング８６、軸受８８、およびクリップ９０の間の相互作用を含む。
【００３２】
ピックアップ・アーマチャー５２は、スクリューまたは当技術分野で公知のさまざまな締結具のいずれかによって、ピックアップ・ヘッド３４の内側表面３３に取り付けられている。ピックアップ・アーマチャー５２は、ピン６４によって近位端部において枢動可能に固定されており、また、遠位端部５３に向けて概してアーチ状の形状を示しており、遠位端部５３は、スロット６２および半径方向内向きの第１の突出部６６を示している。付勢エレメント５８は、半径方向内向きに、および、カミング・エレメント４８の外部表面に接触するように、内向きの第１の突出部６６を付勢する。ピン６０が、スロット６２を通って延在しており、また、内向きの第１の突出部６６がカミング制御部材デバイス４８の外部表面フィーチャーに係合しているときに、ピックアップ・アーマチャー５２のアーチ状の変位を制限する。
【００３３】
ピックアップ・ピン４２は、ネジ山付きの締結具によってピックアップ・アーマチャー５２に取り付けられており、ネジ山付きの締結具は、ピン４２を通ってアーマチャー５２の中のネジ山付きの孔部の中へ延在する。ピックアップ・ピン４２の回転移動を促進させ、ピックアップ・ピン４２の外側表面に対する摩擦抵抗を最小化する様式で、ピックアップ・アーマチャー５２およびピックアップ・ピン４２は取り付けられている。カミング・エレメント４８の外部表面フィーチャーがピックアップ・アーマチャー５２に作用するとき、ピックアップ・ピン４２は、ピックアップ・ヘッド３４から伸張および後退させられる（図４および図５を参照）。
【００３４】
ピックアップ・アーマチャー５２は、スロット６２の中の並進ピン６０によって設定される限界値内で、ピン６４の周りに回転する。ピックアップ・アーマチャー５２は、半径方向内向きの第１の突出部６６を含み、半径方向内向きの第１の突出部６６は、カミング制御部材デバイス４８に係合し、その表面フィーチャーに反応し、カミング制御部材デバイスの表面が半径方向外向きまたは内向きに移動するときに、それぞれ、スロット４４の中に、および、スロット４４の外へ、ピックアップ・ピン４２を移動させる。
【００３５】
位置決めアーマチャー７６が、機械的なシステム４６のコンポーネントを安定化させて位置決めすることを助けるために使用されている。位置決めアーマチャー７６は、枢動ピン７８のための孔部８１を備えた近位端部７９と、遠位端部８２とを有しており、遠位端部８２は、半径方向内向きの丸みを帯びた第２の突出部８３と、丸みを帯びた外側の突出部８５と、付勢エレメント・キャッチ・アーム８７とを有している。第２の付勢エレメント８４は、キャッチ・アーム８７に係合しており、スロット７７の中のスロット・ピン８０の移動のアーチ状の限界値内で、枢動ピン７８の周りに枢動させることによって、カミング制御部材デバイス４８に接触するように位置決めアーマチャーを付勢する。
【００３６】
好ましくは、機械的なシステム４６の中の接続ブラケット５６、接続ロッド５４、カミング・サポート５０、およびカミング制御部材デバイス４８の軸線方向の移動および任意の回転並進移動は、中央シャフト３６から独立しており、中央シャフト３６の近位に位置決めされている機械的なシステム４６の任意のエレメントの全体的な位置が、中央シャフト３６から独立して軸線方向におよび回転方向に移動することが可能である。この目的のために、軸受８８が、中央シャフト３６の周りに位置決めされており、カミング・サポート５０およびカミング制御部材デバイス４８を中央シャフト３６から回転方向に分離し、中央シャフト３６の回転が、カミング制御部材デバイス４８およびカミング・サポート５０の任意の回転移動から独立しているようになっている。機械的なシステム４６の移動は、好ましくは、中央シャフト３６、ピックアップ・ヘッド３４、または締結具３８を軸線方向に（フロント・カバー２８に向けて、または、フロント・カバー２８から離れる方向のいずれかに）移動させない。これは、活性化ボタンが押圧されているときに、ピックアップ・ヘッド３４がフロント・カバー２８の内側表面２９に対してフィッシング・ライン１６を押し付けないように維持する。
【００３７】
動作時に、本発明リールは、初期のスタート位置（図６、図９、および図１２）と、キャストに備えてラインを保持するための中間位置（図７、図１０、および図１３）と、第２のキャスティング位置（図８、図１１、および図１４）とを有するものとして説明され得る。初期のスタート位置において、ピックアップ・ピン４２は、スロット４４から外へ延在している。ピックアップ・ピン４２のこの位置決めは、ピックアップ・アーマチャー５２の第１の突出部６６がカミング制御部材デバイス４８の外側表面７４に係合しているときに起こる（より詳細に図１５〜図１６に説明されている）。外側表面７４に接触するように第１の突出部６６を位置決めすることは、スロット４４を通して、ピックアップ・ピン４２の半径方向外向きの位置を維持する。この第１の位置において、第２のピックアップ・アーマチャー７６の第２の突出部８３も、カミング制御部材デバイス４８の外側表面７４に係合している。カミング制御部材デバイス４８およびカミング・サポート５０は、両方とも、クリップ９０から軸線方向に間隔を置いて配置されている。
【００３８】
キャストに備えるために、アングラーは、活性化ボタン２２のプレス表面２６を押圧する。これは、親指アーマチャー２４を移動させ、次いで、親指アーマチャー２４は、接続ブラケット５６に係合している。接続ブラケット５６は、ブラケット・ガイド５７からの支援を受けてフレームの中で所定の距離だけ前方へ並進し、接続ロッド５４に係合し、次いで、接続ロッド５４は、カミング・サポート５０を押す。カミング・サポート５０は、接続ロッド・アパーチャー５１を含み、接続ロッド・アパーチャー５１は、接続ロッド５４を受け入れるようにサイズ決めおよび形状決めされている（図１４を参照）。接続ロッド５４の移動は、カミング・サポート５０を移動させ、そして、カミング・サポート５０は、カミング制御部材デバイス４８を移動させる。接続ブラケット５６、接続ロッド５４、カミング・サポート５０、およびカミング制御部材デバイス４８の移動は、中心シャフト３６の軸線方向に沿っており、および／または、中心シャフト３６の軸線方向に実質的に平行である。カミング制御部材デバイス４８は、クリップ９０に向けて十分に前方に変位させられ、突出部６６が、棚部６８およびカム７２の下方に延在するが、カミング・サポート５０との接触に起因して半径方向に伸張させられたままになるようになっている。
【００３９】
アングラーが活性化ボタン２２を解放し、ラインがアンスプールすることを可能にするときに、カミング・サポート５０は、ロッド・リターン・スプリング５５の影響の下で後方に後退し、もはや、突出部６６を妨害せず、それによって、ピックアップ・アーマチャー５２がスプリング付勢の影響の下で半径方向内向きに枢動することを可能にし、また、スプール４０からのフィッシング・ラインとの係合から外れるように、ピックアップ・ピン４２を後退させ、次いで、フィッシング・ラインがスプール４０から巻き出る。
【００４０】
図６〜図１４は、ピックアップ・アーマチャー５２および位置決めアーマチャー７６の第１の位置、中間位置、および、第２の動作位置の異なる図を示している。スタート位置１は、図６、図９、および図１２に示されている。図１２〜図１４の斜視図はカミング制御部材デバイス４８の後方からのものであり、見る人から離れる方向に延在するカミング制御部材デバイス４８の部分は、カミング制御部材デバイス４８がリール１０の中に据え付けられるときにリールのフロントに向くようになっているということに留意されたい。
【００４１】
上記に説明されているように、活性化ボタン２２がユーザーによって押圧されるときに、接続ブラケット５６および接続ロッド５４（図１７）は、中央シャフト３６に対して前方に、カミング・サポート５０を軸線方向に移動させる。カミング・サポート５０は、カミング制御部材デバイス４８に係合し、ピックアップ・ヘッド３４の内側表面に向けて、および、クリップ９０に向けて中間位置（図７、図１０、および図１３を参照）へ、それを軸線方向前方に押す。カミング・サポートが位置１から中間位置へ移動するときに、ピックアップ・ヘッド３４およびピックアップ・ピン４２は、軸線方向に実質的に移動しない。この位置決めは、ピックアップ・ヘッド３４およびピックアップ・ピン４２に関する第１の位置として、および、カミング・サポート５０およびカミング制御部材デバイス４８に関する中間位置として、説明され得る。
【００４２】
カミング・サポート５０およびカミング制御部材デバイス４８のこの軸線方向の移動が起こるときに、カミング・サポート５０のヘッド４９は、軸線方向前方に所定の位置へ移動させられ、その所定の位置において、それは、ピックアップ・アーマチャー５２の第１の突出部６６の後方部に係合し、ピックアップ・アーマチャー５２の半径方向の位置を維持し、そして、スロット４４から伸張しているピックアップ・ピン４２の第１の位置を維持する（図７、図１０、および図１３を参照）。ヘッド４９の後方端部の外径は、カミング制御部材デバイス４８のヘッド４７の外径に実質的に等しい。ヘッド４９の前方端部は、ヘッド４９の後方端部よりもいくらか小さい直径を有しており、傾斜した外側表面を形成するようになっており、傾斜した外側表面は、ピックアップ・アーマチャー５２に対するカミング・サポート５０の前方への軸線方向の変位を促進させる。このサイズの類似性は、第１の突出部６６との相互作用に起因して、ピックアップ・アーマチャー５２の位置、そして、ピックアップ・ピン４２の位置を伸張位置に実質的に保持する。
【００４３】
図７、図１０、および図１３に示されている中間位置またはキャスティング前の位置では、第２のピックアップ・アーマチャー７６の第２の突出部８３が、棚部分６８に実質的に隣接するか、または、カミング制御部材デバイス４８のカム７２のうちの１つに隣接するように、カミング制御部材デバイス４８は変位させられる。換言すれば、第２の突出部８３は、カミング制御部材デバイス４８とカミング・サポート５０との間で半径方向内向きに変位させられる。突出部６６は、カミング制御部材デバイス４８のカミング表面７２を越えてカミング・サポート５０に対抗する位置に変位させられる。
【００４４】
圧力が活性化ボタン２２から解放されると、カミング・サポート５０は、軸線方向後方に移動し、ピックアップ・アーマチャー５２が、付勢エレメント５８の影響に起因して、および／または、フィッシング・ライン１６からの任意の圧力に起因して、半径方向内向きに枢動するようになっており、第１の突出部６６が、ちょうどカミング制御部材デバイス４８を越えたところから半径方向内向きに移動し、カミング制御部材デバイス４８のヘッド４７の後方棚部分６８またはカム７２に係合するようになっている（図７、図１０、および図１３を参照）。ピックアップ・ピンのこの場所は、第２の位置またはキャスティング位置として説明され得り、ピックアップ・ピン４２は、ピックアップ・ヘッド３４の外側表面の下に後退させられた位置にあり、フィッシング・ライン１６がスプール４０から巻き出ることができるようになっている。
【００４５】
カム・リターン・スプリング８６などのような付勢デバイスが、カミング制御部材デバイス４８に係合するように位置決めされており、それをカミング・サポート５０に向けて付勢している。ロッド・リターン・スプリング５５などのような付勢デバイスが、接続ロッド５４およびカミング・サポート５０をリールの後方に向けて付勢している。この内部の位置決めは、カミング・サポート５０に対するカミング制御部材デバイス４８の軸線方向への独立した戻り移動を促進させる。たとえば、活性化ボタン２２が解放されるとき、ロッド・リターン・スプリング５５は、軸線方向に後方にカム・サポート５０を移動させ、また、カム・リターン・スプリング８６は、クリップ９０から離れるように軸線方向に後方にカミング・サポート４８を移動させる。しかし、第２のピックアップ・アーマチャー７６の第２の突出部８３がカミング制御部材デバイス４８の棚部分６８の近位にあるときには、カミング制御部材デバイス４８の軸線方向の移動が制限される。活性化ボタン２２を解放するとき、カム・リターン・スプリング５５は、カミング・サポート５０の移動を促進させるが、一方、第２のピックアップ・アーマチャー７６は、カミング制御部材デバイス４８のその中間位置への軸線方向の移動を制限する。
【００４６】
カミング・サポート５０のこの移動、および、カミング制御部材デバイス４８の全体的な非移動は、ピックアップ・アーマチャー５２の第１の突出部６６のためのスペースを提供して半径方向内向きに移動させ、それは、ピックアップ・ピン４２が第２の位置へ半径方向内向きに移動することを引き起こす。後退させられたピックアップ・ピン４２を伴う、この間隔を置いて配置された形態のこれらのパーツの相互関係は、全体的に、第２の位置またはキャスティング位置として説明され得り、その位置において、フィッシング・ラインがスプール４０から巻き出る。
【００４７】
ピックアップ・アーマチャー５２のこの移動は、ピックアップ・ピン４２を第２の位置へ効果的に後退させ、それがスロット４４の中に後退させられるようになっており、フィッシング・ライン１６は、スプール４０から巻き出され得る。この移動の間に、ロッド・リターン・スプリング５５は、活性化ボタン２２、接続ブラケット５６、接続ロッド５４、およびカミング・サポート５０が、押圧される前の位置、または、ピックアップ・ピンの第１の位置に対応する位置へ戻ることを促進させる。カミング制御部材デバイス４８は、ヘッド４７の棚部分６８に係合させられたピックアップ・アーマチャー５２の第１の突出部６６によって、軸線方向に前方の位置（カミング・サポート５０によって移動させられるときに開口部２５に向かう位置）に維持される。
【００４８】
また、第１の位置、または、活性化ボタン２２が押される前の位置へカミング・サポート５０が戻るこの移動は、次いで、活性化ボタン２２、接続ブラケット５６、および接続ロッド５４を、活性化ボタン２２が押される前のそれらの位置に移動させることが可能である。
【００４９】
好適な量のフィッシング・ライン１６がスプール４０から巻き出ると（それは、典型的に、アングラーのキャスティング好みに基づく）、クランク・ハンドル１８が回され、巻き出しプロセスを中断させる。中央シャフト３６は、クランク・アーマチャー２０を通してクランク・ハンドルに接続されており、クランク・ハンドル１８が回ると回転する。ピックアップ・ヘッド３４は、締結具３８において中央シャフト３６に取り付けられており、また、クランク・ハンドル１８が回転すると回り、それによって、ピックアップ・アーマチャー５２が回転することを引き起こす。この回転は、第１の突出部６６が棚部分６８を横断し、カム７２のうちの１つの角度付きのカム面リップ表面７０と接触することを引き起こし、第１の突出部６６およびピックアップ・アーマチャー５２が、ピン６４の周りに枢動することによって、半径方向外向きに押し出されるようになっており、それは、次いで、ピックアップ・ピン４２をスロット４４から外へ移動させ、その場合に、ピックアップ・ピン４２は、スプール４０の周りでのフィッシング・ライン１６の巻き取りのために、フィッシング・ライン１６に再び係合することが可能である。この移動によって、ピックアップ・ピン４２は、もう一度、第１の位置となり、フィッシング・ライン１６に係合させられる。同様に、第２のピックアップ・アーマチャー７６も、カム７２のうちの１つによって、その第１の位置に戻される。カム・リターン・スプリング８６は、カミング制御部材デバイス４８をその初期の位置へ後方に移動させ、それによって、ピックアップ・アーマチャー５２の第１の突出部６６がその半径方向の外向きの位置のままとなり、ピックアップ・ピン４２がその伸張位置のままとなることを引き起こす。
【００５０】
第１の位置では、第１の突出部６６は、カミング制御部材デバイス４８のヘッド４７の外側表面７４の上にある。この位置では、突出部６６は、クランク・ハンドル１８が回されるときに、カミング制御部材デバイス４８の外側７４を横断することとなり、ピックアップ・ピン４２をピックアップ・ヘッド３４の外側に維持することとなる。ピックアップ・ピン４２のこの場所は、クランク・ハンドル１８が回されるときに、スプール４０の周りにフィッシング・ライン１６を再び収集することとなる。このフィッシング・ライン１６が所望のレベルまで収集されると、ユーザーは、クランク・ハンドル１８を回すことを止め、そのように望まれる場合には、親指ボタン２２を押し、フィッシング・ライン１６を再びキャスティングすることが可能であり、その場合には、機械的なシステム４６のプロセスが再び始まる。
【００５１】
動作時に、アングラーが、従来のリールと現在開示されているリールとの間のキャスティング体験の差に気付かないことが好ましい。たとえば、両方のリールにおいて、ボタンが押圧されて保持されているときに、フィッシング・ラインはリールから出ていかない。ボタンが解放されると、フィッシング・ラインは、両方のリールから出ていくことが可能である。クランク・ハンドルが活性化または回転させられるときには、フィッシング・ラインは、両方のリールの中へ後退させられて戻されることとなる。
【００５２】
カミング制御部材デバイス４８は、より詳細に図１５〜図１６に示されている。カミング制御部材デバイス４８は、形状が概して環状になっており、前方端部６７、後方端部６９、全体的な高さ７１、および外径７３を示している。軸線方向の移動ガイド９３が、環状のカミング制御部材デバイス４８の開口した中心の中に位置付けされており、それらがリテイニング・ヘッド９２の中の溝部９１（図９）に係合するようになっている。
【００５３】
カミング制御部材デバイス４８の全体的な高さ７１は、少なくとも３つの軸線方向の部分に分割される。第１の部分９４は、第１の距離９５にわたって後方端部６９から軸線方向前方に延在し、第１の直径９７の第１の外側表面９６を形成しており、第１の直径９７は、外径７３よりも半径方向に小さい。
【００５４】
第２の部分９８は、第１の直径９７と外径７３との間の半径方向の長さの差によって形成された、軸線方向に横断方向の棚表面９９の上に位置付けされている。横断方向の棚表面９９の上には、複数のカム７２が形成されており、それぞれが、第１の表面９６から外径７３へ角度付きの傾斜表面７０を備えている。図１４〜図１７では、４つのカム表面７２が、棚表面９９の上に形成されている。それぞれのカム７２および角度付きの傾斜表面７０の間に、棚部分６８がある。第１の突出部６６および第２の突出部８３と、棚部分６８、角度付きの表面７０、およびカム７２との間の相互作用は、ユーザーがリールによってフィッシング・ラインを巻き取りおよびキャスティングしているときのピックアップ・ピン４２の位置決めにとって重要である。
【００５５】
第３の部分９９は、棚表面９９から前方端部６７へ延在しており、外側表面７４を含む。外側表面７４の半径方向の位置は、伸張したライン巻き取り位置にピックアップ・ピン４２を維持する。
【００５６】
本開示にしたがって作製されたリールの代替的な実施形態を、図１８〜図２１に見ることができる。これらの実施形態では、本発明リール１０は、以前に説明されているものと同様または同じであることが可能であるが、リールは、シャフト活性化デバイス９４を含むことが可能である。シャフト活性化デバイス９４は、活性化ボタンが押されているときに、中央シャフト３６の概して軸線方向の移動を促進させるように設計および位置決めされている。この軸線方向の移動は、フィッシング・ラインを制御するための追加的な技法であることが可能である。たとえば、キャスティング・プロセスの間に、しかし、クランク・ハンドルが回される前に、アングラーは、キャスト自身の間に、フィッシング・ラインの巻き出しを遅くするかまたは停止させることを望む場合があり得る。ラインをキャスティングするために親指ボタンを解放した後に、クランク・ハンドルを回すことなく、アングラーは、親指ボタンに再係合することが可能であり、シャフト活性化デバイス９４が中央シャフト３６を移動させることができるようになっており、そして、それは、制限デバイス８９を移動させ、フィッシング・ライン１６に係合し、その移動を遅くするかまたは停止させることも可能である。制限デバイス８９は、フロント・コーンの内側に接触するように設計され得るか、または、単にフィッシング・ライン１６が通過するエリアを低減させるように限定されるように設計され得るかのいずれかである。いずれのケースでも、アングラーがどの程度遠くへ活性化ボタン２２を押すかということによって、アングラーは、デバイスの相互作用を制御することが可能である。
【００５７】
シャフト活性化デバイス９４は、活性化ボタン２２と中央シャフト３６との間の機械的な相互作用であることが可能である。この相互作用は、活性化ボタン２２と中央シャフト３６との間の直接的なまたは間接的な接触によるものであることが可能である。たとえば、シャフト活性化デバイス９４は、カム表面９５を含むことが可能であり、カム表面９５は、活性化ボタン２２の一部である。このカム表面９５は、図１８〜図１９に示されているように、中央シャフト３６に直接的に係合することが可能である。代替的に、シャフト活性化デバイス９４は、機械的なリンク９６を含むことが可能であり、機械的なリンク９６は、活性化ボタン２２と中央シャフト３６との間の力の伝達を促進させる。たとえば、接続ブラケット５６は、アーマチャー９７を含むことが可能であり、アーマチャー９７は、図２０〜図２１に最良に見られるように、中央シャフト３６に係合するように位置決めされ、中央シャフト３６を移動させることが可能である。
【００５８】
したがって、本明細書で開示されている装置および方法は、先述の目的および利点を実現するということが理解される。パーツおよびステップの配置および構築の多数の変形例が、当業者に容易に明らかになることとなり、本開示の範囲および精神の中に包含されている。
【図１】
2018515077.tif 000003
【図２】
2018515077.tif 000004
【図３】
2018515077.tif 000005
【図４】
2018515077.tif 000006
【図５】
2018515077.tif 000007
【図６】
2018515077.tif 000008
【図７】
2018515077.tif 000009
【図８】
2018515077.tif 000010
【図９】
2018515077.tif 000011
【図１０】
2018515077.tif 000012
【図１１】
2018515077.tif 000013
【図１２】
2018515077.tif 000014
【図１３】
2018515077.tif 000015
【図１４】
2018515077.tif 000016
【図１５】
2018515077.tif 000017
【図１６】
2018515077.tif 000018
【図１７】
2018515077.tif 000019
【図１８】
2018515077.tif 000020
【図１９】
2018515077.tif 000021
【図２０】
2018515077.tif 000022
【図２１】
2018515077.tif 000023
【図２２】
2018515077.tif 000024
【国際調査報告】
2018515077.tif 000025
2018515077.tif 000026
2018515077.tif 000027